(57)【要約】【課題】簡易かつ迅速にロール状製品の支持体を組み立てることができるロール状製品支持体を提供する。【解決手段】本発明のロール状製品支持体Ａは、段ボールで形成され、両側に突出した軸芯ｂ１を有するロール状製品ｂを支持するものであって、底板部２と、この底板部２の一組の対辺のから起立する一対の第１の側板部３ａ、３ｂと、底板部２の他の対辺のから起立する一対の第２の側板部５ａ、５ｂと、この一対の第２の側板部５ａ、５ｂの両端から横方向に延設された第１’の側板部４ａ、４ｂ、４ｃ、４ｄとを備え、この第１’の側板部４ａ、４ｂ、４ｃ、４ｄは、第１の側板部３ａ、３ｂに重なるように折り込まれ、第１および第１’の側板部３ａ、３ｂ、４ａ、４ｂ、４ｃ、４ｄの中央には、上方から軸芯ｂ１を挿入できるように、略Ｕ字状の切り欠き部６が設けられているものである。【選択図】図１
2011031914.tif 000002
【特許請求の範囲】
【請求項１】
段ボールで形成され、両側に突出した軸芯を有するロール状製品を支持するロール状製品支持具体であって、
平面視矩形状の底板部と、
この底板部の一組の対辺のそれぞれから折曲線を介して起立する一対の第１の側板部と、
前記底板部の前記一組の対辺とは異なる他の対辺のそれぞれから折曲線を介して起立する一対の第２の側板部と、
この一対の第２の側板部のそれぞれの両端から折曲線を介して横方向に延設された第１’の側板部とを備え、
この第１’の側板部は、前記第１の側板部に重なるように折り込まれ、
前記第１および第１’の側板部の中央には、上方から前記軸芯を挿入できるように、略Ｕ字状の切り欠きが設けられていることを特徴とするロール状製品支持体。
【請求項２】
段ボールは、ライナーと波形中芯とを貼り合わせたものであり、
第１’の側板部を構成する前記段ボールの前記波形中芯の波筋方向は、上下方向であることを特徴とする請求項１記載のロール状製品支持体。
【請求項３】
段ボールで形成され、両側に突出した軸芯を有するロール状製品を包装するロール状製品包装体であって、
平面視矩形状の底板部と、
この底板部の一組の対辺のそれぞれから折曲線を介して起立する一対の第１の側板部と、
前記底板部の前記一組の対辺とは異なる他の対辺のそれぞれから折曲線を介して起立する一対の第２の側板部と、
この一対の第２の側板部のそれぞれの両端から折曲線を介して横方向に延設された第１’の側板部とを備え、
この第１’の側板部は、前記第１の側板部の内側に重なるように折り込まれ、
前記第１’の側板部の中央には、上方から前記軸芯を挿入できるように、略Ｕ字状の切り欠きが設けられていることを特徴とするロール状製品包装体。
【請求項４】
段ボールは、ライナーと波形中芯とを貼り合わせたものであり、
第１’の側板部を構成する前記段ボールの前記波形中芯の波筋方向は、上下方向であることを特徴とする請求項３記載のロール状製品包装体。
【発明の詳細な説明】
【技術分野】
【０００１】
本発明は、段ボールで形成され、両側に突出した軸芯を有するロール状製品を支持するロール状製品支持体およびロール状製品包装体に係り、特に、シンプルな構成で、段ボールシートを折り込んで、簡易かつ迅速にロール状製品の支持体および包装体を形成できるものに関する。
【背景技術】
【０００２】
ロール状製品を搬送する支持具や包装体は、金属製や木製の枠体など、強度の高い部材で作製された各種のものが存在するが、近年にあっては、輸送コストの削減等の施策もあり、軽量で比較的強度が高い段ボールを用いたものが開発されてきた。
【０００３】
特許文献１の図１に示したようなロール製品搬送支持具は、その一例であり、多数枚の段ボールシートを貼り合わせて吊り板と側板とを形成し、これらを組み立てて支持具が作製されている。
【先行技術文献】
【特許文献】
【０００４】
【特許文献１】実用新案登録第３０８８２３６号公報
【発明の概要】
【発明が解決しようとする課題】
【０００５】
しかしながら、上述したようなロール状製品搬送支持具にあっては、貼り合わされた複数種の段ボール片を組み合わせて作製するものであり、吊り板と側板とが嵌合できるように、各部材は複雑な形状にカットされ、それらの作製に手間がかかるばかりか、多量の切り屑（廃材）が発生するという問題点があった。
【０００６】
本発明は、上述した問題点を解決するためになされたものである。
【課題を解決するための手段】
【０００７】
請求項１に係る発明は、段ボールで形成され、両側に突出した軸芯を有するロール状製品を支持するロール状製品支持具体であって、平面視矩形状の底板部と、この底板部の一組の対辺のそれぞれから折曲線を介して起立する一対の第１の側板部と、前記底板部の前記一組の対辺とは異なる他の対辺のそれぞれから折曲線を介して起立する一対の第２の側板部と、この一対の第２の側板部のそれぞれの両端から折曲線を介して横方向に延設された第１’の側板部とを備え、この第１’の側板部は、前記第１の側板部に重なるように折り込まれ、前記第１および第１’の側板部の中央には、上方から前記軸芯を挿入できるように、略Ｕ字状の切り欠きが設けられているロール状製品支持体である。
【０００８】
請求項２に係る発明は、請求項１記載のロール状製品支持体において、段ボールは、ライナーと波形中芯とを貼り合わせたものであり、第１’の側板部を構成する前記段ボールの前記波形中芯の波筋方向は、上下方向であるものである。
【０００９】
請求項３に係る発明は、  段ボールで形成され、両側に突出した軸芯を有するロール状製品を包装するロール状製品包装体であって、平面視矩形状の底板部と、この底板部の一組の対辺のそれぞれから折曲線を介して起立する一対の第１の側板部と、前記底板部の前記一組の対辺とは異なる他の対辺のそれぞれから折曲線を介して起立する一対の第２の側板部と、この一対の第２の側板部のそれぞれの両端から折曲線を介して横方向に延設された第１’の側板部とを備え、この第１’の側板部は、前記第１の側板部の内側に重なるように折り込まれ、前記第１’の側板部の中央には、上方から前記軸芯を挿入できるように、略Ｕ字状の切り欠きが設けられているロール状製品包装体である。
【００１０】
請求項４に係る発明は、請求項３記載のロール状製品包装体において、段ボールは、ライナーと波形中芯とを貼り合わせたものであり、第１’の側板部を構成する前記段ボールの前記波形中芯の波筋方向は、上下方向であるものである。
【発明の効果】
【００１１】
請求項１に記載のロール状製品支持体によれば、平面視矩形状の底板部と、この底板部の一組の対辺のそれぞれから折曲線を介して起立する一対の第１の側板部と、前記底板部の前記一組の対辺とは異なる他の対辺のそれぞれから折曲線を介して起立する一対の第２の側板部と、この一対の第２の側板部のそれぞれの両端から折曲線を介して横方向に延設された第１’の側板部とを備え、この第１’の側板部は、前記第１の側板部に重なるように折り込まれ、前記第１および第１’の側板部の中央には、上方から前記軸芯を挿入できるように、略Ｕ字状の切り欠きが設けられているため、段ボールを用いて、シンプルな構成で、簡易かつ迅速にロール状製品の支持体を組み立てることができ、しかも、廃材の発生を可及的に抑制することができる。
【００１２】
請求項２に記載の発明によれば、請求項１記載のロール状製品支持体の効果に加え、段ボールは、ライナーと波形中芯とを貼り合わせたものであり、第１’の側板部を構成する前記段ボールの前記波形中芯の波筋方向は、上下方向であるため、ロール状製品の軸芯を支持する側板部において、波形中芯の波筋が上下方向となる第１’の側板部を２枚含む分、ロール状製品の支持強度をより一層高めることができる。
【００１３】
請求項３に記載のロール状製品包装体によれば、平面視矩形状の底板部と、この底板部の一組の対辺のそれぞれから折曲線を介して起立する一対の第１の側板部と、前記底板部の前記一組の対辺とは異なる他の対辺のそれぞれから折曲線を介して起立する一対の第２の側板部と、この一対の第２の側板部のそれぞれの両端から折曲線を介して横方向に延設された第１’の側板部とを備え、この第１’の側板部は、前記第１の側板部の内側に重なるように折り込まれ、前記第１’の側板部の中央には、上方から前記軸芯を挿入できるように、略Ｕ字状の切り欠きが設けられているため、段ボールを用いて、シンプルな構成で、簡易かつ迅速にロール状製品の包装体を組み立てることができ、しかも、廃材の発生を可及的に抑制することができる。
【００１４】
請求項４に記載の発明によれば、請求項３記載のロール状製品包装体の効果に加え、段ボールは、ライナーと波形中芯とを貼り合わせたものであり、第１’の側板部を構成する前記段ボールの前記波形中芯の波筋方向は、上下方向であるため、ロール状製品の軸芯を支持する側板部において、波形中芯の波筋が上下方向となる第１’の側板部を２枚含む分、ロール状製品の支持強度をより一層高めることができる。
【図面の簡単な説明】
【００１５】
【図１】本発明の第１の実施例に係るロール状製品支持体の概略的斜視図である。
【図２】図１の概略的展開図である。
【図３】図１に用いる段ボールの概略的断面図であり、図３（ａ）は片面段ボールを、図３（ｂ）は両面段ボールを、図３（ｃ）は複両面段ボールを、図３（ｄ）は複々両面段ボールをそれぞれ示している。
【図４】図１の作製過程を示した概略的斜視図である。
【図５】図１のＸ―Ｘ線で切断した概略的断面図であり、ロール状製品の支持状態を仮想線で示したものである。
【図６】図２の段ボールシートの一部を破断して示した概略図であり、図６（ａ）は展開図を、図６（ｂ）は図６（ａ）のＹ―Ｙ線で切断した断面の拡大図をそれぞれ示している。
【図７】図２の切り欠き片を用いて作製した補強部材の概略図を示している。
【図８】図１の変形例を示した概略的斜視図であり、一部を破断したものである。
【図９】本発明の第２の実施例に係るロール状製品包装体の概略的斜視図である。
【図１０】図９の概略的展開図である。
【発明を実施するための形態】
【００１６】
本発明の第１の実施例を、図１〜図５を参照して説明する。図１において、Ａは本発明のロール状製品支持体であり、ロール状製品支持体Ａは、両側に突出した軸芯ｂ１を有するロール状製品ｂを支持するもので、所定形状に切断した段ボールシートを折り畳んで箱形に形成したものであり、概略的に、底板部２と、側板部３、５と、切り欠き部６とにより構成されている。
【００１７】
まず、ロール状製品支持体Ａに用いる段ボールを展開した段ボールシート１について説明すると、段ボールシート１は、図２に示したように、平面視矩形状の底板部２と、この底板部２の一組の対辺２１、２２のそれぞれから折曲線２１ａ、２２ａを介して連続した一対の第１の側板部３ａ、３ｂと、底板部２の一組の対辺２１、２２とは異なる他の対辺２３、２４のそれぞれから折曲線２３ａ、２４ａを介して連続した一対の第２の側板部５ａ、５ｂと、この一対の第２の側板部５ａ、５ｂのそれぞれの両端から折曲線５１ａ、５２ａ、５３ａ、５４ａを介して横方向に延設された第１’の側板部４ａ、４ｂ、４ｃ、４ｄとを備えている。
【００１８】
また、第１の側板部３ａ、３ｂ、および、第１’の側板部４ａ、４ｂ、４ｃ、４ｄの中央には、組み立て後に上方から軸芯ｂ１を挿入できるように、それぞれ略Ｕ字状の切り欠き３１ａ、３１ｂ、４１ａ、４１ｂ、４１ｃ、４１ｄが設けられているもので、これらの内、切り欠き３１ａと３１ｂ、４１ａと４１ｃ、および、切り欠き４１ｂと４１ｄは、それぞれ段ボールシート１の対向する位置に形成されている。
【００１９】
ここで、上述したロール状製品支持体Ａに用いられる段ボールは、特に限定されるものではないが、ロール状製品ｂの支持強度を考慮すると、ライナーと波形中芯とを貼り合わせたもの、すなわち、図３（ａ）に示したような、１枚のライナー１１に波状中芯１２を貼り付けた片面段ボールや、図３（ｂ）に示したような、２枚のライナー１１、１１（表ライナー、裏ライナー）の間に波状中芯１２を貼り付けた両面段ボール、図３（ｃ）に示したような、両面段ボールの片側に片面段ボールを貼り合わせた複両面段ボール、図３（ｄ）に示したような、両面段ボールの片側に片面段ボールを２層貼り合わせた複々両面段ボールなどを使用するのが好ましい。
【００２０】
次に、上述した第１の実施例に係る段ボールシート１を組み立ててロール状製品支持体Ａを作製する手順について、図４を参照して説明すると、まず、図２に示した段ボールシート１の第１の側板部３ａ、３ｂをそれぞれ折曲線２１ａ、２２ａで折り返して起立させる（矢印ｄ１参照）。同様に、第１’の側板部４ａ、４ｂをそれぞれ折曲線５１ａ、５２ａで、第１’の側板部４ｃ、４ｄをそれぞれ折曲線５３ａ、５４ａで折り返して起立させる（矢印ｄ２参照）。
【００２１】
そして、第２の側板部５ａ、５ｂをそれぞれ折曲線２３ａ、２４ａで折り返し（矢印ｄ３参照）、該第２の側板部５ａ、５ｂを起立させて側板部５、５を形成する。このとき、第１’の側板部４ａ、４ｃは、第１の側板部３ａに重なるように、第１’の側板部４ｂ、４ｄは、第１の側板部３ｂに重なるように折り込まれるもので、第１および第１’の側板部３ａ、４ａ、４ｃの重なる順番、第１および第１’の側板部３ｂ、４ｂ、４ｄの重なる順番は特に問わない。
【００２２】
そして、各側板部３ａ、４ａ、４ｃどうし、および、各側板部３ｂ、４ｂ、４ｄどうしを公知の接着剤等により貼り付けて側板部３、３を形成するもので、このとき、各側板部の切り欠き３１ａ、４１ａ、４１ｃ、および、切り欠き３１ｂ、４１ｂ、４１ｄをそれぞれ一致するように貼り付ける。なお、切り欠き３１ａ、４１ａ、４１ｃ、および、切り欠き３１ｂ、４１ｂ、４１ｄにより図１に図示した切り欠き部６、６が形成される。
【００２３】
なお、第１の実施例におけるロール状製品支持体Ａの使用にあっては、図１の仮想線で示したように、ロール状製品ｂの両側に突出した軸芯ｂ１の両端を切り欠き部６、６に挿入し、図５に示したように、該切り欠き部６、６の略Ｕ字状の底部に軸芯ｂ１を載置し、ロール状製品ｂをロール状製品支持体Ａ内に横架して支持させることにより行う。
【００２４】
ところで、第１’の側板部４ａ、４ｂ、４ｃ、４ｄを構成する段ボールの波形中芯１２の波筋方向（波目方向ｍ（図６（ｂ）参照）に垂直な段ボールシート１中の方向）は、ロール状製品支持体Ａに組み立てられた状態において、上下方向であること、つまり、段ボールシート１の展開状態にあっては、図６（ａ）に示したような波筋方向ｎであることが、ロール状製品ｂに対するロール状製品支持体Ａの支持強度をより一層高めることができる点で好ましい。
【００２５】
また、上述した切り欠き３１ａ、３１ｂ、４１ａ、４１ｂ、４１ｃ、４１ｄを形成する際に生じた切り欠き片６１（図２参照）を用い、図７に示したように、その一端部６１ａを切断して円弧状の凹部となるように補強部材６１’を作製し、この補強部材６１’を、図８に示したように、前述の円弧状の凹部を切り欠き部６の略Ｕ字状の底部に合致するように、一枚若しくは二枚以上重ねて側板部３の内側に接着剤等で貼り付けて補強するようにしてもよい。
【００２６】
次に、本発明の第２の実施例を、図９、図１０を参照して説明する。なお、第１の実施例と同一部分には同一の符号を付して示し、その詳細な説明は省略する。図９において、Ａ’はロール状製品包装体であり、ロール状製品包装体Ａ’は、第１の実施例とは側板部３の形状が異なり、両側に突出した軸芯ｂ１を有するロール状製品ｂを、該軸芯ｂ１が段ボールで覆われるように包装するもので、図１０に示したように、第１の実施例の切り欠き３１ａ、３１ｂに相当するものが無い第１の側板部３ａ’、３ｂ’を備えているものである。
【００２７】
このロール状製品包装体Ａ’を作製する手順にあっては、第１’の側板部４ａ、４ｃは第１の側板部３ａ’の内側に、第１’の側板部４ｂ、４ｄは第１の側板部３ｂ’の内側にそれぞれ重なるように折り込まれるもので、その他は、第１の実施例のものと同じである。
【００２８】
なお、図示していないが、第２の実施例のロール状製品包装体Ａ’においても、第１の実施例と同様に、第１’の側板部４ａ、４ｂ、４ｃ、４ｄを構成する段ボールシート１’の波形中芯の波筋方向ｎを、ロール状製品包装体Ａ’に組み立てられた状態において、上下方向とするのが好ましく、また、切り欠き４１ａ、４１ｂ、４１ｃ、４１ｄを形成する際に生じた切り欠き片６１を用いて補強部材６１’を作製し、側板部３の内側に接着剤等で貼り付けて補強するようにしてもよい。
【００２９】
ところで、上述した第１および第２の実施例にあっては、ロール状製品支持体Ａおよびロール状製品包装体Ａ’の上部が開口している形態について示したが、該開口を覆うことができるように、段ボールシート１、１’に一体的に蓋部を設けたり、別体として蓋体を取り付ける構成にしてもよい。
【００３０】
また、第１および第１’の側板部３ａ（３ａ’）、４ａ、４ｃどうし、および、第１および第１’の側板部３ｂ（３ｂ’）、４ｂ、４ｄどうしは接着剤によらず、他の公知の接合方法（例えば、ホッチキスによる接合）により接合するようにしてもよい。
【符号の説明】
【００３１】
Ａ        ロール状製品支持体
Ａ’      ロール状製品包装体
ｂ        ロール状製品
１        段ボールシート
２        底板部
３、５    側板部
３ａ、３ｂ、３ａ’、３ｂ’  第１の側板部  
４ａ、４ｂ、４ｃ、４ｄ  第１’の側板部
５ａ、５ｂ  第２の側板部
【図１】
2011031914.tif 000003
【図２】
2011031914.tif 000004
【図３】
2011031914.tif 000005
【図４】
2011031914.tif 000006
【図５】
2011031914.tif 000007
【図６】
2011031914.tif 000008
【図７】
2011031914.tif 000009
【図８】
2011031914.tif 000010
【図９】
2011031914.tif 000011
【図１０】
2011031914.tif 000012